(57)【要約】【課題】指先だけで容易に被回転体を回転せしめることができる回転器具を提供する。【解決手段】回転器具１は、第１の長手部材２と、被回転体として棒状ブラシ６が配置される領域を挟んで第１の長手部材２と対向する第２の長手部材３と、第１の長手部材２と第２の長手部材３との間に配置されると共に、第１の長手部材２の回動及び第２の長手部材３の回動に伴って棒状ブラシ６を回転せしめる第１のゴム４と、第１の長手部材２と第２の長手部材３との間に配置されると共に、第１の長手部材２及び第２の長手部材３に取付けられた第２のゴム５とを備える。第１のゴム４は、第１の長手部材２と第２の長手部材３との間の領域のうち第１の軸線９若しくは第２の軸線１０を境にして一方側に位置し、第２のゴム５は、第１の軸線９若しくは第２の軸線１０を境にして他方側に位置する。【選択図】図１
2012200322.tif 000002
【特許請求の範囲】
【請求項１】
被回転体が配置される平面に対して略垂直な第１の軸線を中心として正逆方向に回動可能な第１の長手部材と、
前記第１の長手部材の回動の第１の軸線と略平行若しくは略同一の第２の軸線を中心として正逆方向に回動可能であると共に、被回転体が配置される領域を挟んで前記第１の長手部材と対向する第２の長手部材と、
前記第１の長手部材と前記第２の長手部材との間に配置されると共に、前記第１の長手部材の回動及び前記第２の長手部材の回動に伴って被回転体を回転せしめる回転手段と、
前記第１の長手部材と前記第２の長手部材との間に配置されると共に、前記第１の長手部材及び前記第２の長手部材に取付けられた弾性部材とを備える回転器具であって、
前記第１の長手部材と前記第２の長手部材との間の領域のうち前記第１の軸線若しくは前記第２の軸線を境にして一方側に前記回転手段が位置し、
前記第１の長手部材と前記第２の長手部材との間の領域のうち前記第１の軸線若しくは前記第２の軸線を境にして他方側に前記弾性部材が位置し、
前記第１の長手部材及び前記第２の長手部材は、前記第１の軸線若しくは前記第２の軸線を境にして同じ側にある互いの端部間の距離が変動するよう回動する
回転器具。
【請求項２】
前記回転手段で回転せしめられると共に、少なくとも一端に複数の突起部を有する棒状の被回転体を備える
請求項１に記載の回転器具。
【請求項３】
前記回転手段は、前記第１の長手部材及び前記第２の長手部材に取付けられると共に、前記被回転体に巻き付けられた第１のゴムであり、
前記弾性部材は、前記第１の長手部材及び前記第２の長手部材に取付けられると共に、前記被回転体に巻き付けられた第２のゴムである
請求項２に記載の回転器具。
【請求項４】
前記回転手段は、前記第１の長手部材及び前記第２の長手部材に取付けられると共に、前記被回転体に巻き付けられた第１のゴムであり、
前記弾性部材は、前記第１の長手部材及び前記第２の長手部材に取付けられると共に、前記被回転体に巻き付き可能に取付けられた第２のゴムであり、
前記第１の軸線を境にして第２のゴムが取付けられた側の第１の長手部材には、指を通すための第１の指用孔が設けられ、
前記第２の軸線を境にして第２のゴムが取付けられた側の第２の長手部材には、指を通すための第２の指用孔が設けられた
請求項２に記載の回転器具。
【請求項５】
前記第１の長手部材及び前記第２の長手部材が回動可能に取付けられると共に貫通孔が設けられた回動支持体を備え、
前記被回転体は該貫通孔に挿通された
請求項２、請求項３、または請求項４に記載の回転器具。
【発明の詳細な説明】
【技術分野】
【０００１】
本発明は回転器具に関する。詳しくは、例えば棒状のブラシを回転させて、瓶内部の洗浄を行なうことができる回転器具に係るものである。
【背景技術】
【０００２】
例えば瓶の内部を洗浄する場合、ブラシなどを回転させて瓶の内壁に付着した汚れを擦り落とすことが行なわれている。
【０００３】
例えば、特許文献１には、図８に示すような洗浄ブラシが記載されている。即ち、特許文献１には、主ブラシ１１０及び副ブラシ１１６とを哺乳瓶１５０に挿入し、握り手１１４を主動軸として回転させ、この回転が従動軸である連結部材１１３に伝動されることにより、握り手１１４の回転につれて主ブラシ１１０及び副ブラシ１１６が回転して哺乳瓶１５０の内側を洗浄することができる旨記載されている。
【先行技術文献】
【特許文献】
【０００４】
【特許文献１】実用新案登録第３０２３６６３号公報
【発明の概要】
【発明が解決しようとする課題】
【０００５】
しかしながら、特許文献１に記載の洗浄ブラシは、握り手を握って回転させるものであり、もっと簡単に指先だけでブラシなどを回転させることができる器具が望まれていた。
【０００６】
本発明は、以上の点に鑑みて創案されたものであり、指先だけで容易に被回転体を回転せしめることができる回転器具を提供することを目的とする。
【課題を解決するための手段】
【０００７】
上記の目的を達成するために、本発明の回転器具は、被回転体が配置される平面に対して略垂直な第１の軸線を中心として正逆方向に回動可能な第１の長手部材と、前記第１の長手部材の回動の第１の軸線と略平行若しくは略同一の第２の軸線を中心として正逆方向に回動可能であると共に、被回転体が配置される領域を挟んで前記第１の長手部材と対向する第２の長手部材と、前記第１の長手部材と前記第２の長手部材との間に配置されると共に、前記第１の長手部材の回動及び前記第２の長手部材の回動に伴って被回転体を回転せしめる回転手段と、前記第１の長手部材と前記第２の長手部材との間に配置されると共に、前記第１の長手部材及び前記第２の長手部材に取付けられた弾性部材とを備える回転器具であって、前記第１の長手部材と前記第２の長手部材との間の領域のうち前記第１の軸線若しくは前記第２の軸線を境にして一方側に前記回転手段が位置し、前記第１の長手部材と前記第２の長手部材との間の領域のうち前記第１の軸線若しくは前記第２の軸線を境にして他方側に前記弾性部材が位置し、前記第１の長手部材及び前記第２の長手部材は、前記第１の軸線若しくは前記第２の軸線を境にして同じ側にある互いの端部間の距離が変動するよう回動する。
【０００８】
ここで、第１の長手部材の回動の第１の軸線と第２の長手部材の回動の第２の軸線は略平行若しくは略同一であり、第２の長手部材は、被回転体が配置される領域を挟んで第１の長手部材と対向し、第１の長手部材と第２の長手部材との間に配置されると共に、第１の長手部材の回動及び第２の長手部材の回動に伴って被回転体を回転せしめる回転手段によって、指で第１の長手部材と第２の長手部材を挟むだけで被回転体を回転せしめることができる。
【０００９】
また、本発明の回転器具は、回転手段で回転せしめられると共に、少なくとも一端に複数の突起部を有する棒状の被回転体を備えるものとすることができる。
【００１０】
また、本発明の回転器具において、回転手段は、第１の長手部材及び第２の長手部材に取付けられると共に、被回転体に巻き付けられた第１のゴムであり、弾性部材は、第１の長手部材及び第２の長手部材に取付けられると共に、被回転体に巻き付けられた第２のゴムであるものとすることができる。
【００１１】
この場合、第１の軸線若しくは第２の軸線を境にして、弾性部材である第２のゴムが取付けられた側の第１の長手部材及び第２の長手部材を指で挟んで第１の長手部材と第２の長手部材との間の距離を小さくすると、第１の軸線若しくは第２の軸線を境にして、回転手段である第１のゴムが取付けられた側の第１の長手部材と第２の長手部材との間の距離が大きくなり、それによって棒状の被回転体に巻き付けられた第１のゴムが引っ張られて被回転体を回転せしめる。
【００１２】
この被回転体の回転によって、棒状の被回転体に巻き付けられた第２のゴムが被回転体にさらに巻き付き、付勢力がさらに第２のゴムに与えられる。そして、第２のゴムが取付けられた側の第１の長手部材及び第２の長手部材を挟んでいた指の挟む力を緩めると、第２のゴムが付勢力によって元に戻ろうとし、被回転体に巻き付いた第２のゴムが被回転体を回転せしめる。
【００１３】
また、本発明の回転器具において、回転手段は、第１の長手部材及び第２の長手部材に取付けられると共に、被回転体に巻き付けられた第１のゴムであり、弾性部材は、第１の長手部材及び第２の長手部材に取付けられると共に、被回転体に巻き付き可能に取付けられた第２のゴムであり、第１の軸線を境にして第２のゴムが取付けられた側の第１の長手部材には、指を通すための第１の指用孔が設けられ、第２の軸線を境にして第２のゴムが取付けられた側の第２の長手部材には、指を通すための第２の指用孔が設けられたものとすることができる。
【００１４】
この場合、第１の指用孔及び第２の指用孔に指を入れることができるので、指を開くことで、第１の長手部材の端部と第２の長手部材の端部が互いに離れる方向へも力を加えることができる。
【００１５】
また、本発明の回転器具は、第１の長手部材及び第２の長手部材が回動可能に取付けられると共に貫通孔が設けられた回動支持体を備え、被回転体は貫通孔に挿通されたものとすることができる。
【発明の効果】
【００１６】
本発明に係る回転器具は、指先だけで容易に被回転体を回転せしめることができる。
【図面の簡単な説明】
【００１７】
【図１】本発明の回転器具の第１の実施態様を示す概略図である。
【図２】図１に示した回転器具が棒状ブラシを正方向に回転させる様子を示す概略図である。
【図３】図１に示した回転器具が棒状ブラシを逆方向に回転させる様子を示す概略図である。
【図４】本発明の回転器具の第２の実施態様を示す概略図である。
【図５】図４に示した回転器具が棒状ブラシを正方向に回転させる様子を示す概略図である。
【図６】本発明の回転器具の第３の実施態様を示す概略平面図である。
【図７】本発明の回転器具の第３の実施態様を示す概略正面図である。
【図８】従来の洗浄ブラシを示す概略図である。
【発明を実施するための形態】
【００１８】
以下、本発明の実施の形態について図面を参照しながら説明し、本発明の理解に供する。
図１は、本発明の回転器具の第１の実施態様を示す概略図である。
【００１９】
図１において、本発明の回転器具１は、第１の長手部材２と、被回転体が配置される領域を挟んで第１の長手部材２と対向する第２の長手部材３とを備える。
【００２０】
また、第１の長手部材２及び第２の長手部材３それぞれの両端部は、被回転体が配置される領域とは反対側に向かって湾曲している。その結果、第１の長手部材２及び第２の長手部材３それぞれの略中央部は湾曲部となっている。
【００２１】
また、本発明の回転器具１は、第１の長手部材２及び第２の長手部材３が回動可能に取付けられると共に貫通孔が設けられた回動支持体１１を備える。
【００２２】
ここで、第１の長手部材２は、湾曲した略中央部において、被回転体が配置される平面に対して略垂直な第１の軸線９を中心として正逆方向に回動可能に回動支持体１１に取付けられる。
また、第２の長手部材３は、湾曲した略中央部において、第１の長手部材２の回動の第１の軸線９と略平行な第２の軸線１０を中心として正逆方向に回動可能に回動支持体１１に取付けられる。
【００２３】
また、本発明の回転器具１は、第１の長手部材２と第２の長手部材３とに挟まれる領域に、被回転体である棒状ブラシ６を備える。また、棒状ブラシ６は、一端に複数のブラシ毛（突起部の一例である。）７を有する。
また、棒状ブラシ６は、回動支持体１１の貫通孔に挿通されている。
【００２４】
また、第１の長手部材２と第２の長手部材３との間の領域のうち第１の軸線９若しくは第２の軸線１０を境にして一方側に位置する棒状ブラシ６の棒状部の外周面には、第１のフック部６Ａ及び第２のフック部６Ｂが取付けられている。
【００２５】
ここで、第１のフック部６Ａ及び第２のフック部６Ｂはそれぞれ、互いに１８０°異なる方向に位置する２つの端部が回動支持体１１に向けて湾曲した構成となっている。
また、第１のフック部６Ａの端部と第２のフック部６Ｂの端部は、互いに９０°異なる方向に位置する（即ち、直交する２つの平面内に位置する）。
【００２６】
また、第１の長手部材２と第２の長手部材３との間の領域のうち第１の軸線９若しくは第２の軸線１０を境にして他方側に位置する棒状ブラシ６の棒状部の外周面にも、第３のフック部６Ｃ及び第４のフック部６Ｄが取付けられている。
【００２７】
ここで、第３のフック部６Ｃと第４のフック部６Ｄはそれぞれ、互いに１８０°異なる方向に位置する２つの端部が回動支持体１１に向けて湾曲した構成となっている。
また、第３のフック部６Ｃの端部と第４のフック部６Ｄの端部は、互いに９０°異なる方向に位置する。
【００２８】
また、本発明の回転器具１は、第１の長手部材２と第２の長手部材３との間に配置されると共に、第１の長手部材２の回動及び第２の長手部材３の回動に伴って棒状ブラシ６を回転せしめる第１のゴム（回転手段の一例である。）４を備える。
【００２９】
また、第１のゴム４は、第１の長手部材２と第２の長手部材３との間の領域のうち第１の軸線９若しくは第２の軸線１０を境にして一方側に位置する。
【００３０】
ここで、第１のゴム４は、第１の長手部材２の一端及び第２の長手部材３の一端に取付けられると共に第１のフック部６Ａに引っ掛けられて棒状ブラシ６に巻き付けられた第１の輪ゴム４Ａと、第１の長手部材２の一端に取付けられると共に第２のフック部６Ｂに引っ掛けられて棒状ブラシ６に巻き付けられた第２の輪ゴム４Ｂと、第２の長手部材３の一端に取付けられると共に第２のフック部６Ｂに引っ掛けられて棒状ブラシ６に巻き付けられた第３の輪ゴム４Ｃからなる。
【００３１】
また、本発明の回転器具１は、第１の長手部材２と第２の長手部材３との間に配置されると共に、第１の長手部材２及び第２の長手部材３に取付けられた第２のゴム（弾性部材の一例である。）５を備える。
【００３２】
また、第２のゴム５は、第１の長手部材２と第２の長手部材３との間の領域のうち第１の軸線９若しくは第２の軸線１０を境にして他方側に位置する。
【００３３】
ここで、第２のゴム５は、第１の長手部材２の他端及び第２の長手部材３の他端に取付けられると共に第４のフック部６Ｄに引っ掛けられて棒状ブラシ６の端部に巻き付けられた第４の輪ゴム５Ａと、第１の長手部材２の他端に取付けられると共に第３のフック部６Ｃに引っ掛けられて棒状ブラシ６に巻き付けられた第５の輪ゴム５Ｂと、第２の長手部材３の他端に取付けられると共に第３のフック部６Ｃに引っ掛けられて棒状ブラシ６に巻き付けられた第６の輪ゴム５Ｃからなる。
【００３４】
また、図１において、第１のゴム４と第２のゴム５は、互いに巻回方向は異なるが、巻回数は同じである。
【００３５】
図２は、図１に示した回転器具が棒状ブラシを正方向に回転させる様子を示す概略図である。
また、図３は、図１に示した回転器具が棒状ブラシを逆方向に回転させる様子を示す概略図である。
【００３６】
図２に示すように、第１の長手部材２の他端及び第２の長手部材３の他端付近を指で挟むと、第１の長手部材２が第１の軸線９を中心として回動し、また、第２の長手部材３が第２の軸線１０を中心として回動し、第１の長手部材２の他端と第２の長手部材３の他端との間の距離が小さくなる。
【００３７】
それと同時に、第１の長手部材２の一端と第２の長手部材３の一端との間の距離が大きくなり、それによって棒状ブラシ６に巻き付けられた第１のゴム４（第１の輪ゴム４Ａと、第２の輪ゴム４Ｂと、第３の輪ゴム４Ｃ）が引っ張られて、棒状ブラシ６を正方向１２に回転せしめる。
【００３８】
このとき、棒状ブラシ６の正方向１２への回転によって、棒状ブラシ６に巻き付けられた第２のゴム５（第４の輪ゴム５Ａと、第５の輪ゴム５Ｂと、第６の輪ゴム５Ｃ）が棒状ブラシ６にさらに巻き付き、付勢力がさらに第２のゴム５（第４の輪ゴム５Ａと、第５の輪ゴム５Ｂと、第６の輪ゴム５Ｃ）に付与される。
【００３９】
そして、図３に示すように、第１の長手部材２の他端及び第２の長手部材３の他端付近を挟んでいた指の挟む力を緩めると、棒状ブラシ６に巻き付いた第２のゴム５（第４の輪ゴム５Ａと、第５の輪ゴム５Ｂと、第６の輪ゴム５Ｃ）が付勢力によって元に戻ろうとし、棒状ブラシ６に巻き付いた第２のゴム５（第４の輪ゴム５Ａと、第５の輪ゴム５Ｂと、第６の輪ゴム５Ｃ）が、棒状ブラシ６を逆方向１３に回転せしめる。
【００４０】
このとき、棒状ブラシ６の逆方向１３への回転によって、第１のゴム４（第１の輪ゴム４Ａと、第２の輪ゴム４Ｂと、第３の輪ゴム４Ｃ）が再度、棒状ブラシ６に巻き付き、図１に示すような状態に戻る。
【００４１】
以後、同じように図２に示すように再度、第１の長手部材２の他端及び第２の長手部材３の他端付近を指で挟んだり、図３に示すように第１の長手部材２の他端及び第２の長手部材３の他端付近を挟んでいた指の挟む力を緩めたりして、繰り返し棒状ブラシ６を正逆方向に回転させることができる。
【００４２】
図４は、本発明の回転器具の第２の実施態様を示す概略図である。
また、図５は、図４に示した回転器具が棒状ブラシを正方向に回転させる様子を示す概略図である。
【００４３】
図４に示すように、本発明の第２の実施態様の回転器具１において、第１の軸線９を境にして第２のゴム５が取付けられた側の第１の長手部材２には、指を通すための第１の指用孔２Ｂが設けられており、第２の軸線１０を境にして第２のゴム５が取付けられた側の第２の長手部材３には、指を通すための第２の指用孔３Ｂが設けられている。
【００４４】
また、第１の長手部材２の第１の指用孔２Ｂの近くには、第２の長手部材３に向けて突出した第１の突起部２Ｃが設けられている。
また、第２の長手部材３の第２の指用孔３Ｂの近くには、第１の長手部材２に向けて突出した第２の突起部３Ｃが設けられている。
【００４５】
また、第１の実施態様と同様に棒状ブラシ６の棒状部の外周面には、第１のフック部６Ａ、第２のフック部６Ｂ、第３のフック部６Ｃ、及び、第４のフック部６Ｄが取付けられているが、第２の実施態様では、これらフック部の端部は全て同じ方向（同一平面内）に位置している。
【００４６】
また、第１のゴム４は、第１の輪ゴム４Ａと、第２の輪ゴム４Ｂからなる。
第１の輪ゴム４Ａは、第１の長手部材２の一端及び第２の長手部材３の一端に取付けられると共に、第１のフック部６Ａに引っ掛けられて棒状ブラシ６に巻き付けられている。
第２の輪ゴム４Ｂは、第１の長手部材２の一端と第１の軸線９との間の略中間地点及び第２の長手部材３の一端と第２の軸線１０との間の略中間地点に取付けられると共に、第２のフック部６Ｂに引っ掛けられて棒状ブラシ６に巻き付けられている。
【００４７】
また、第２のゴム５は、第４の輪ゴム５Ａと、第５の輪ゴム５Ｂからなる。
ここで、第４の輪ゴム５Ａは、第１の長手部材２の内側即ち棒状ブラシ６に近い側に取付けられた第７のフック部６Ｇ及び第２の長手部材３の内側即ち棒状ブラシ６に近い側に取付けられた第８のフック部６Ｈに取付けられると共に、第４のフック部６Ｄに引っ掛けられて棒状ブラシ６に巻き付き可能に取付けられている。
【００４８】
また、第５の輪ゴム５Ｂは、第１の長手部材２の内側に取付けられた第５のフック部６Ｅ及び第２の長手部材３の内側に取付けられた第６のフック部６Ｆに取付けられると共に、第３のフック部６Ｃに引っ掛けられて棒状ブラシ６に巻き付き可能に取付けられている。
【００４９】
その他の点は、第１の実施態様と同じである。
【００５０】
図５に示すように、第１の指用孔２Ｂと第２の指用孔３Ｂに指を通して、第２のゴム５（第４の輪ゴム５Ａと、第５の輪ゴム５Ｂ）が取付けられた側の第１の長手部材２と第２の長手部材３を互いに近づけるように動かすと、第１の長手部材２が第１の軸線９を中心として回動し、また、第２の長手部材３が第２の軸線１０を中心として回動し、第１の長手部材２の他端（第２のゴム５が取付けられた側）と第２の長手部材３の他端（第２のゴム５が取付けられた側）との間の距離が小さくなる。
【００５１】
また、第１の突起部２Ｃと第２の突起部３Ｃが設けられているので、第１の長手部材２の他端と第２の長手部材３の他端との間の距離が最小になっても一定の距離が保たれる。
【００５２】
それと同時に、第１の長手部材２の一端と第２の長手部材３の一端との間の距離が大きくなり、それによって棒状ブラシ６に巻き付けられた第１のゴム４（第１の輪ゴム４Ａと、第２の輪ゴム４Ｂ）が引っ張られて、棒状ブラシ６を正方向１２に回転せしめる。
【００５３】
このとき、棒状ブラシ６の正方向１２への回転によって、棒状ブラシ６に巻き付き可能に取付けられた第２のゴム５（第４の輪ゴム５Ａと、第５の輪ゴム５Ｂ）が棒状ブラシ６に巻き付き、付勢力が第２のゴム５に付与される。
即ち、第２のゴム５は、第１のゴム４とは異なる巻回方向で棒状ブラシ６に巻き付けられる。
【００５４】
そして、第２のゴム５（第４の輪ゴム５Ａと、第５の輪ゴム５Ｂ）が取付けられた側の第１の長手部材２と第２の長手部材３を互いに近づける指の力を緩めると同時に、第１の指用孔２Ｂと第２の指用孔３Ｂに通した指を開くことによって第１の長手部材２と第２の長手部材３に対して力を加えると、棒状ブラシ６に巻き付いた第２のゴム５（第４の輪ゴム５Ａと、第５の輪ゴム５Ｂ）が、付勢力と指の開く方向の力とによって元に戻ろうとし、棒状ブラシ６に巻き付いた第２のゴム５（第４の輪ゴム５Ａと、第５の輪ゴム５Ｂ）が、棒状ブラシ６を逆方向に回転せしめる。
【００５５】
そして、棒状ブラシ６の逆方向への回転によって、第１のゴム４（第１の輪ゴム４Ａと、第２の輪ゴム４Ｂ）が再度、棒状ブラシ６に巻き付き、図４に示すような状態に戻る。
【００５６】
このとき、第１の長手部材２の他端と第２の長手部材３の他端との間の距離が大きくなる。また、第１の指用孔２Ｂと第２の指用孔３Ｂに指を通しているので、指を開くことで、第２のゴム５（第４の輪ゴム５Ａと、第５の輪ゴム５Ｂ）が取付けられた側の第１の長手部材２と第２の長手部材３を互いに遠ざける力も加えることができる。
【００５７】
図６は、本発明の回転器具の第３の実施態様を示す概略平面図である。
また、図７は、本発明の回転器具の第３の実施態様を示す概略正面図である。
図６において、本発明の回転器具１は、第１の長手部材２と、被回転体である棒状ブラシ６が配置される領域を挟んで第１の長手部材２と対向する第２の長手部材３とを備える。
【００５８】
また、第１の長手部材２と第２の長手部材３は立体交差しており、その交点において交差結合部１４によって回動可能に結合している。
そして、この交点が、第１の長手部材２の第１の軸線９であり、第２の長手部材３の第２の軸線１０でもある。
【００５９】
また、図６に示すように、第１の長手部材２の一端と第２の長手部材３の一端は互いに対向していると共に、平板状の扇形状を有している。
また、本発明の回転器具１は、扇形状の第１の長手部材２の一端及び扇形状の第２の長手部材３の一端を囲むように配置された外側枠体１９を備える。
【００６０】
また、図７に示すように、本発明の回転器具１は、第１の長手部材２の扇形状の一端と第２の長手部材３の扇形状の一端との間に配置された歯車（回転手段の一例である。）１６を備えており、また、図６からも明らかなように、歯車１６は、第１の長手部材２と第２の長手部材３との間の領域のうち第１の軸線９（若しくは第２の軸線１０）を境にして一方側に位置する。
【００６１】
また、歯車１６の略中心部には、棒状ブラシ６が挿通される貫通孔１６Ａが設けられている。また、貫通孔１６Ａの内径は、棒状ブラシ６の棒状部の外径と略同じであるため、歯車１６の回転に伴い棒状ブラシ６も回転する。
【００６２】
また、第３の実施態様において、棒状ブラシ６の棒状部の外周面には、第１の実施態様や第２の実施態様のようなフック部は設けられていない。
なお、図７において、棒状ブラシは省略する。
【００６３】
また、図６に示すように、第１の長手部材２の扇形状の一端と第２の長手部材３の扇形状の一端は、交差結合部１４の第１の軸線９（若しくは第２の軸線１０）を境にして一方側に位置し、第１の長手部材２の他端と第２の長手部材３の他端は、交差結合部１４の第１の軸線９（若しくは第２の軸線１０）を境にして他方側に位置する。
【００６４】
また、外側枠体１９で囲まれた空間を横方向（幅方向）に貫く横方向支持バー２０と、外側枠体１９で囲まれた空間を縦方向（高さ方向）に貫く縦方向支持バー２１が、それぞれその両端において外側枠体１９に固着されている。
なお、図６において、縦方向支持バー２１の端部が固着された外側枠体は省略する。
【００６５】
また、横方向支持バー２０と縦方向支持バー２１の交点には、棒状ブラシ６が挿通される貫通孔（図示せず。）が設けられており、この貫通孔は、歯車１６の貫通孔１６Ａと略同じ軸線上に位置し、貫通孔１６Ａの内径よりも少し大きい内径を有する。
【００６６】
また、図６に示すように、第１の長手部材２の扇形状の一端と、第２の長手部材３の扇形状の一端にはそれぞれ、縦方向支持バー２１が通される第１の貫通孔２Ａ及び第２の貫通孔３Ａが設けられている。
【００６７】
また、図７に示すように、第１の長手部材２の扇形状の一端の歯車１６と接する面には、歯車１６の歯と噛み合う第１の凹凸部１７が設けられ、第２の長手部材３の扇形状の一端の歯車１６と接する面には、歯車１６の歯と噛み合う第２の凹凸部１８が設けられている。
【００６８】
また、本発明の回転器具１は、第１の長手部材２と第２の長手部材３との間に配置されると共に、第１の長手部材２及び第２の長手部材３に取付けられた板バネ（弾性部材の一例である。）１５を備える。
【００６９】
また、板バネ１５は、第１の長手部材２と第２の長手部材３との間の領域のうち第１の軸線９若しくは第２の軸線１０を境にして他方側に位置する。
【００７０】
そして、第１の長手部材２の他端及び第２の長手部材３の他端付近を指で挟むと、第１の長手部材２及び第２の長手部材３が交差結合部１４の第１の軸線９（若しくは第２の軸線１０）を中心として回動し、第１の長手部材２の他端及び第２の長手部材３の他端は、他端の第１の移動方向２２Ａに移動し、第１の長手部材２の他端と第２の長手部材３の他端との間の距離は小さくなる。
このとき、板バネ１５は圧縮され、元に戻ろうとする力（付勢力）が板バネ１５に付与される。
【００７１】
それと同時に、第１の長手部材２の一端及び第２の長手部材３の一端が、一端の第１の移動方向２２に移動する。
すると、歯車１６の歯と、第１の長手部材２の一端に設けられた第１の凹凸部１７及び第２の長手部材３の一端に設けられた第２の凹凸部１８が噛み合って、歯車１６が第１の回転方向２４に回転し、棒状ブラシ６を同じく第１の回転方向２４に回転させる。
【００７２】
また、第１の長手部材２の他端及び第２の長手部材３の他端付近を挟んでいた指の挟む力を緩めると、圧縮されていた板バネ１５の付勢力によって、第１の長手部材２及び第２の長手部材３が交差結合部１４の第１の軸線９（若しくは第２の軸線１０）を中心として回動し、第１の長手部材２の他端及び第２の長手部材３の他端は、他端の第２の移動方向２３Ａに移動し、第１の長手部材２の他端と第２の長手部材３の他端との間の距離は大きくなる。
【００７３】
それと同時に、第１の長手部材２の一端及び第２の長手部材３の一端が、一端の第２の移動方向２３に移動する。
すると、歯車１６の歯と、第１の長手部材２の一端に設けられた第１の凹凸部１７及び第２の長手部材３の一端に設けられた第２の凹凸部１８が噛み合って、歯車１６が第２の回転方向（第１の回転方向とは逆の方向）２５に回転し、棒状ブラシ６を同じく第２の回転方向２５に回転させる。
【００７４】
以後、同じように、第１の長手部材２の他端及び第２の長手部材３の他端付近を指で挟んだり、第１の長手部材２の他端及び第２の長手部材３の他端付近を挟んでいた指の挟む力を緩めたりして、棒状ブラシ６を第１の回転方向及び第２の回転方向に回転させることができる。
【００７５】
以上の例では、被回転体として棒状ブラシを例に挙げて説明したが、必ずしも棒状ブラシでなくてもよく、例えば、被回転体として竹とんぼを用い、本発明の回転器具を玩具として利用することもできる。
【００７６】
以上のように、本発明の回転器具は、第１の長手部材の回動の第１の軸線と第２の長手部材の回動の第２の軸線は略平行若しくは略同一であり、第２の長手部材は、被回転体が配置される領域を挟んで第１の長手部材と対向し、第１の長手部材と第２の長手部材との間に配置されると共に、第１の長手部材の回動及び第２の長手部材の回動に伴って被回転体（棒状ブラシなど）を回転せしめる回転手段（歯車や第１のゴムなど）によって、指で第１の長手部材と第２の長手部材を挟むだけで被回転体を回転せしめることができる。
【００７７】
従って、本発明の回転器具は、指先だけで容易に被回転体を回転せしめることができる。
【００７８】
また、回転手段である第１のゴムは、第１の長手部材と第２の長手部材との間の領域のうち第１の軸線若しくは第２の軸線を境にして一方側に位置し、弾性部材である第２のゴムは、第１の長手部材と第２の長手部材との間の領域のうち第１の軸線若しくは第２の軸線を境にして他方側に位置しているので、第１の軸線若しくは第２の軸線を境にして、第２のゴムが取付けられた側の第１の長手部材及び第２の長手部材を指で挟んで第１の長手部材と第２の長手部材との間の距離を小さくすると、第１の軸線若しくは第２の軸線を境にして、第１のゴムが取付けられた側の第１の長手部材と第２の長手部材との間の距離が大きくなり、それによって棒状ブラシに巻き付けられた第１のゴムが引っ張られて棒状ブラシを回転せしめる。
【００７９】
この棒状ブラシの回転によって、棒状ブラシに巻き付けられた第２のゴムが棒状ブラシにさらに巻き付き、付勢力がさらに第２のゴムに与えられる。そして、第２のゴムが取付けられた側の第１の長手部材及び第２の長手部材を挟んでいた指の挟む力を緩めると、第２のゴムが付勢力によって元に戻ろうとし、棒状ブラシに巻き付いた第２のゴムが棒状ブラシを回転せしめる。
【００８０】
後は、繰り返し、第２のゴムが取付けられた側の第１の長手部材及び第２の長手部材を指で挟んだり緩めたりするだけで、棒状ブラシを回転させ続けることができる。
【００８１】
また、第１の指用孔や第２の指用孔が設けられた本発明の第２の実施態様の回転器具は、第１の指用孔及び第２の指用孔に指を入れることができるので、指を開くことで、さらに、第１の長手部材の端部と第２の長手部材の端部が互いに離れる方向へも力を加えることができる。
【００８２】
また、歯車や板バネを備えた本発明の第３の実施態様の回転器具も同様に、板バネが取付けられた側の第１の長手部材及び第２の長手部材を指で挟んだり緩めたりするだけで、歯車が第１の回転方向や第２の回転方向に回転し、棒状ブラシを回転させ続けることができる。
【符号の説明】
【００８３】
１    回転器具
２    第１の長手部材
２Ａ  第１の貫通孔
２Ｂ  第１の指用孔
２Ｃ  第１の突起部
３    第２の長手部材
３Ａ  第２の貫通孔
３Ｂ  第２の指用孔
３Ｃ  第２の突起部
４    第１のゴム
４Ａ  第１の輪ゴム
４Ｂ  第２の輪ゴム
４Ｃ  第３の輪ゴム
５    第２のゴム
５Ａ  第４の輪ゴム
５Ｂ  第５の輪ゴム
５Ｃ  第６の輪ゴム
６    棒状ブラシ
６Ａ  第１のフック部
６Ｂ  第２のフック部
６Ｃ  第３のフック部
６Ｄ  第４のフック部
６Ｅ  第５のフック部
６Ｆ  第６のフック部
６Ｇ  第７のフック部
６Ｈ  第８のフック部
７    ブラシ毛
９    第１の軸線
１０    第２の軸線
１１    回動支持体
１２    正方向
１３    逆方向
１４    交差結合部
１５    板バネ
１６    歯車
１６Ａ  貫通孔
１７    第１の凹凸部
１８    第２の凹凸部
１９    外側枠体
２０    横方向支持バー
２１    縦方向支持バー
２２    一端の第１の移動方向
２２Ａ  他端の第１の移動方向
２３    一端の第２の移動方向
２３Ａ  他端の第２の移動方向
２４    第１の回転方向
２５    第２の回転方向
【図１】
2012200322.tif 000003
【図２】
2012200322.tif 000004
【図３】
2012200322.tif 000005
【図４】
2012200322.tif 000006
【図５】
2012200322.tif 000007
【図６】
2012200322.tif 000008
【図７】
2012200322.tif 000009
【図８】
2012200322.tif 000010
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
被回転体が配置される平面に対して略垂直な第１の軸線を中心として正逆方向に回動可能な第１の長手部材と、
前記第１の長手部材の回動の第１の軸線と略平行若しくは略同一の第２の軸線を中心として正逆方向に回動可能であると共に、被回転体が配置される領域を挟んで前記第１の長手部材と対向する第２の長手部材と、
前記第１の長手部材と前記第２の長手部材との間に配置されると共に、前記第１の長手部材の回動及び前記第２の長手部材の回動に伴って被回転体を回転せしめる回転手段と、
前記第１の長手部材と前記第２の長手部材との間に配置されると共に、前記第１の長手部材及び前記第２の長手部材に取付けられた弾性部材と、
前記回転手段で回転せしめられると共に、少なくとも一端に複数の突起部を有する棒状の被回転体とを備える回転器具であって、
前記第１の長手部材と前記第２の長手部材との間の領域のうち前記第１の軸線若しくは前記第２の軸線を境にして一方側に前記回転手段が位置し、
前記第１の長手部材と前記第２の長手部材との間の領域のうち前記第１の軸線若しくは前記第２の軸線を境にして他方側に前記弾性部材が位置し、
前記第１の長手部材及び前記第２の長手部材は、前記第１の軸線若しくは前記第２の軸線を境にして同じ側にある互いの端部間の距離が変動するよう回動し、
前記回転手段は、前記第１の長手部材及び前記第２の長手部材に取付けられると共に、前記被回転体に巻き付けられた第１のゴムであり、
前記弾性部材は、前記第１の長手部材及び前記第２の長手部材に取付けられると共に、前記被回転体に巻き付き可能に取付けられた第２のゴムであり、
前記第１の軸線を境にして第２のゴムが取付けられた側の第１の長手部材には、指を通すための第１の指用孔が設けられ、
前記第２の軸線を境にして第２のゴムが取付けられた側の第２の長手部材には、指を通すための第２の指用孔が設けられた
回転器具。
【請求項２】
前記第１の長手部材及び前記第２の長手部材が回動可能に取付けられると共に貫通孔が設けられた回動支持体を備え、
前記被回転体は該貫通孔に挿通された
請求項１に記載の回転器具。